(57)【要約】【課題】より高い断熱性能を有する扉等を提供する。【解決手段】室内外を連通する開口を開閉自在に設けられる扉であって、表面および裏面を形成する２枚の表面材間の室外側に配置された芯材と、前記芯材と対面させて室内側に配置された真空断熱材と、前記芯材の外周面を覆う金属製の補強材と、前記真空断熱材の外周側に前記補強材と見込み方向に並べて配置された合成樹脂製の周端部材と、を備えている。【選択図】図３
2016020596.tif 000002
【特許請求の範囲】
【請求項１】
室内外を連通する開口を開閉自在に設けられる扉であって、
表面および裏面を形成する２枚の表面材間の室外側に配置された芯材と、
前記芯材と対面させて室内側に配置された真空断熱材と、
前記芯材の外周面を覆う金属製の補強材と、
前記真空断熱材の外周側に前記補強材と見込み方向に並べて配置された合成樹脂製の周端部材と、
を備えていることを特徴とする扉。
【請求項２】
請求項１に記載の扉であって、
前記周端部材は、前記補強材と係合する係合部を有していることを特徴とする扉。
【請求項３】
請求項１または請求項２に記載の扉であって、
前記芯材は、断熱材であることを特徴とする扉。
【請求項４】
請求項１乃至請求項３のいずれかに記載の扉と、
前記開口を形成する枠体と、
前記枠体において室内側に配置される金属製の部位を、前記開口の内周側から覆う合成樹脂製の室内カバー部材と、を備え、
前記室内カバー部材は、互いに間隔を隔てて設けられ、前記扉が前記開口を閉塞した状態にて、前記周端部材に各々当接される２つのシール材を有していることを特徴とする建具。
【発明の詳細な説明】
【技術分野】
【０００１】
本発明は、室内外を連通する開口を開閉自在に設けられる扉およびこの扉を備えた建具に関する。
【背景技術】
【０００２】
室内外を連通する開口を開閉自在に設けられる扉およびこの扉を備えた建具としては、たとえば、四辺形のドア枠材と、ドア枠材の表裏面に金属製のドア表面材およびドア裏面材が取り付けられ、ドア表面材とドア裏面材との間に断熱層が設けられた断熱性金属ドアが知られている(例えば、特許文献１参照)。
【先行技術文献】
【特許文献】
【０００３】
【特許文献１】特開２００１−２８００２９号公報
【発明の概要】
【発明が解決しようとする課題】
【０００４】
上述した断熱性金属ドア等のドアには、戸先側にハンドルや施錠機構などを設けるために、上記ドア枠材のような剛性が高い部材が必要である。このようなドア枠材は、一般的に鉄などの金属が用いられるが、上述した断熱性金属ドアのように、ドア表面材とドア裏面材との間に全周に渡ってドア枠材が設けられている場合には、ドア枠材の部分で表裏の熱伝導が生じ高い断熱性能が得られにくいという課題がある。
【０００５】
本発明は、かかる課題に鑑みてなされたものであり、その目的とするところは、より高い断熱性能を有する扉およびこの扉を備えた建具を提供することにある。
【課題を解決するための手段】
【０００６】
かかる目的を達成するために本発明の扉は、室内外を連通する開口を開閉自在に設けられる扉であって、表面および裏面を形成する２枚の表面材間の室外側に配置された芯材と、前記芯材と対面させて室内側に配置された真空断熱材と、前記芯材の外周面を覆う金属製の補強材と、前記真空断熱材の外周側に前記補強材と見込み方向に並べて配置された合成樹脂製の周端部材と、を備えていることを特徴とする扉である。
【０００７】
このような扉によれば、芯材の外周に当該芯材の外周面を覆う金属製の補強材が設けられているので、扉の全周を囲むような枠材を備えていなくとも、扉として外周側に必要なハンドルや施錠機構を芯材側に配置して補強材に取り付けることが可能である。また、芯材の外周面を覆う補強材に取り付ける施錠機構などを真空断熱材側に至らないように芯材側に配置することにより、真空断熱材を扉のほぼ全面に配置することが可能である。このため、より高い断熱性能を備えることが可能である。このとき、真空断熱材は、芯材と対面させて設けられているので、芯材により真空断熱材の外装材が損傷され難い。このため、断熱性の高い真空断熱材を芯材に室内側に容易に備えることが可能な扉を提供することが可能である。更に、金属製の補強材の室内側には合成樹脂製の周端部材が設けられているので、補強材による室内側への熱伝導を抑制することが可能である。このため、より高い断熱性能を有する扉を提供することが可能である。
【０００８】
かかる扉であって、前記周端部材は、前記補強材と係合する係合部を有していることが望ましい。
このような扉によれば、周端部材が補強材と係合する係合部を備えているので、周端部材を補強材の室内側に、より確実に配置することが可能である。
【０００９】
かかる扉であって、前記芯材は、断熱材であることが望ましい。
このような扉によれば、真空断熱材の室外側に位置する芯材も断熱材なので、より高い断熱性能を備えた扉を提供することが可能である。
【００１０】
また、前記開口を形成する枠体と、前記枠体において室内側に配置される金属製の部位を、前記開口の内周側から覆う合成樹脂製の室内カバー部材と、を備え、前記室内カバー部材は、互いに間隔を隔てて設けられ、前記扉が前記開口を閉塞した状態にて、前記周端部材に各々当接される２つのシール材を有していることを特徴とする建具である。
【００１１】
このような建具によれば、扉が枠体にて形成された開口を閉塞した状態では、室内カバー部材に、互いに間隔を隔てて設けられた２つのシール材が、扉が有する合成樹脂製の周端部材に当接される。このため、枠体が有する合成樹脂製の室内カバー部材と扉が有する合成樹脂製の周端部材との間が、間隔を隔てた２つのシール材で繋がる。すなわち、枠体と扉との間に、室内カバー部材と周端部材と２つのシール材とにより合成樹脂により囲まれた空隙が形成される。このため、より断熱性能の高い建具を提供することが可能である。
【発明の効果】
【００１２】
本発明によれば、より高い断熱性能を有する扉およびこの扉を備えた建具を提供することが可能である。
【図面の簡単な説明】
【００１３】
【図１】本実施形態に係る建具を室外側から見た正面図である。
【図２】本発明に係る建具の縦断面図である。
【図３】本発明に係る建具の平断面図である。
【発明を実施するための形態】
【００１４】
以下、本発明の一実施形態に係る戸体および建具について図面を参照して説明する。
本実施形態では、戸体として、図１に示すように、玄関に用いられる玄関扉（以下、扉という）１０を有し、開口２ａを形成し扉１０を回動自在に支持する枠体２を含む建具１を例に挙げて説明する。
【００１５】
以下の説明においては、建具１が建物に取り付けられている状態で室外側から見たときに、上下となる方向を上下方向、左右となり扉の幅側となる方向を左右方向または幅方向、室内外方向である奥行き方向を見込み方向として示す。また、建具１を構成する各部材及び各部位については、単体の状態であっても扉が取り付けられた状態で上下方向、左右方向、見込み方向等となる方向にて方向を特定して説明する。
図１においては、左側が扉１０の戸先側であり、右側が扉１０の吊元側である。
【００１６】
扉１０は、図２、図３に示すように、例えば発泡ウレタン製の芯材１２とパネル状の真空断熱材１３とが対面するように設けられた扉基材１１と、芯材１２の外周を囲むように芯材１２の四辺となる外周に設けられた鉄製の補強材１４と、補強材１４の外周側を覆うアルミニウム製の周端外カバー１５と、真空断熱材１３の外周面および補強材１４の外周面を覆う合成樹脂製の基材周端材１６と、周端外カバー１５とともに扉１０の外周面を形成する合成樹脂製の周端内カバー１７と、扉基材１１および補強材１４により形成される室内側および室外側の面を各々覆い塗装や処理などの化粧が施された鋼板製の２枚の表面材１８と、を有している。
【００１７】
本実施形態の扉基材１１は、芯材１２が真空断熱材１３より厚く形成されており、真空断熱材１３が室内側に偏らせて設けられており、扉基材１１の厚み方向における中央部には芯材１２が位置している。扉１０は、閉じた状態を維持すべく枠体２に係合され、扉１０を開く際に解除可能なラッチ機構１０ａと、扉１０を閉止した状態で施錠する施錠機構１０ｂが、図１に示すように配置されて芯材１２の凹部１２ｂに設けられている。
【００１８】
芯材１２の室内側に設けられた真空断熱材１３は、芯材１２のほぼ全面と対面させて設けられている。すなわち、真空断熱材１３は、芯材１２に設けられている凹部１２ｂも室内側から覆って扉１０のほぼ全面に設けられている。
【００１９】
真空断熱材１３は、断熱材の周囲を真空状態として例えばラミネートフィルムなどにより包装されており、気体による熱伝導を大幅に低減することにより断熱性を高めた断熱材であるため、ウレタンやグラスウール等の断熱材と比較して、厚みが薄くても高い断熱性を備えることが可能である。このため、扉１０の厚み方向において中央部分を含む室外側の部分を芯材１２にて形成することにより、扉１０の厚み方向における中央にラッチ機構１０ａや施錠機構１０ｂを設けることを可能とし、ラッチ機構１０ａおよび施錠機構１０ｂを設けるために形成された凹部１２ｂにより芯材１２が薄くなる部位が生じたとしても、室内側に扉１０のほぼ全面に配置した真空断熱材１３により、より高い断熱性が確保できるように構成されている。
【００２０】
芯材１２の外周面１２ａを覆う補強材１４は、断面がコ字状をなす部材であり、芯材１２の全周に渡って設けられている。補強材１４は、見込み方向に対向する一対の対向壁部１４ａと、一対の対向壁部１４ａの外周側の縁を連結する連結部１４ｂとを有している。また、芯材１２の凹部１２ｂに設けられるラッチ機構１０ａや施錠機構１０ｂは、戸先側の補強材１４に固定されている。
【００２１】
基材周端材１６は、扉１０の四辺に各々設けられ、断面形状が同一で合成樹脂製の押し出し成形部材である。各基材周端材１６は、真空断熱材１３の外周面を覆い、扉１０の各辺に沿う中空部１６ｄを備え断面が矩形状をなす周端本体部１６ａと、周端本体部１６ａの外周側かつ室外側の縁から室外側に延出され補強材１４の連結部１４ｂを外周側にて覆う連結部カバー部１６ｂと、連結部カバー部１６ｂの室外側の端から室外側に延出された外延出部１６ｃとを備えている。
【００２２】
基材周端材１６は、真空断熱材１３の外周に周端本体部１６ａが扉基材１１の全周に渡って配置され、補強材１４の連結部１４ｂの外周に連結部カバー部１６ｂが扉基材１１の全周に渡って配置され、外延出部１６ｃは補強材１４の室外側の対向壁部１４ａを室外側から覆うように配置されている。このとき、補強材１４の室内側の対向壁部１４ａは周端本体部１６ａの内周側の縁より内周側に突出しないように配置されている。ここで、真空断熱材１３の外周面を覆う合成樹脂製の部材、すなわち、基材周端材１６と周端内カバー１７とが周端部材に相当する。また、基材周端材１６は、連結部カバー部１６ｂおよび外延出部１６ｃにより補強材１４と係合するので、連結部カバー部１６ｂおよび外延出部１６ｃが係合部に相当する。
【００２３】
補強材１４および基材周端材１６は枠状に形成され、その内側に真空断熱材１３が配置されるとともに室外側面と室内側面をなす表面材１８が取り付けられて内部に空間を備えたパネル状に形成される。このとき、各表面材１８の端部は、補強材１４および基材周端材１６の四方においていずれも、扉１０の厚み方向における中央側に延出され、外周側からビス（不図示）やリベット（不図示）などにより固定される。補強材１４および基材周端材１６に表面材１８が取り付けられた状態で、その内部の空間に発泡ウレタンが注入され充満したウレタンにより芯材１２が形成される。
【００２４】
周端外カバー１５と周端内カバー１７とは、扉１０の四周の各辺において見込み方向に並べて配置される。周端外カバー１５は、補強材１４の連結部１４ｂを覆う連結部カバー部１６ｂの外周側に設けられ、周端内カバー１７は、真空断熱材１３の外周面を覆う周端本体部１６ａと外周側に設けられている。
【００２５】
周端内カバー１７は、周端本体部１６ａの外周側に設けられた係合片１６ｅに係合されて取り付けられる。このとき、周端内カバー１７の室内側の面と、室内側の表面材１８の室内側面とが平坦になるように、周端内カバー１７の見込み方向の位置が位置決めされる。周端内カバー１７は、取り付けられた状態で、室外側に突出する突起１７ａを有しており、周端内カバー１７の室外側に設けられる周端外カバー１５の室内側の端部が突起１７ａに係合されて取り付けられる。取り付けられた周端外カバー１５と周端内カバー１７との外周面は平坦な面をなしている。
【００２６】
枠体２は、扉１０の上に配置される上枠２１と、扉１０の下に配置される下枠２２と、扉１０の左右に配置される左右の縦枠２３とを有している。
【００２７】
下枠２２は、金属製、例えば、アルミニウム製の押し出し成形部材であり、扉１０を閉じた際に扉１０の下面が対向する下対向部２２ａと、下対向部２２ａの室内側にて下対向部２２ａより上方に突出して戸当たりをなす下戸当部２２ｂと、下戸当部２２ｂの室内側に沓摺部材２７が装着される沓摺装着部２２ｃとを有している。
【００２８】
下対向部２２ａは、見込み方向における両端部から下方に延出された垂設部２２ｄが設けられており、枠体２の下に打設されているモルタル２８に埋設されている。下戸当部２２ｂには、室外側に突出するように合成樹脂製のシール材２９が設けられている。このため、扉１０を閉じた際には、扉１０の下端に設けられた合成樹脂製の周端内カバー１７とシール材２９とが当接し、アルミニウム製の周端外カバー１５とアルミニウム製の下枠２２とは接触しない。すなわち、周端外カバー１５と下枠２２とは、周端内カバー１７とシール材２９とにより断熱されている。
【００２９】
上枠２１と左右の縦枠２３は、金属製、例えば、アルミニウム製の押し出し成形部材でなる外枠部材２１ａ、２３ａと内枠部材２１ｂ、２３ｂとが、合成樹脂２１ｃ、２３ｃを介して連結されている。外枠部材２１ａ、２３ａは、扉１０を閉じた際に扉１０のほぼ外周面と対向し、内枠部材２１ｂ、２３ｂは、閉じた扉１０よりも室内側に配置されている。また、内枠部材２１ｂ、２３ｂには、枠体２の内周側に、内枠部材２１ｂ、２３ｂを覆うとともに枠体２の内周側に突出して戸当たりを形成する、室内カバー部材としての合成樹脂製の戸当部材２５、２６が設けられている。
【００３０】
上枠２１の戸当部材２５には、室外側に突出させてシール材２９が設けられている。このため、扉１０を閉じた際には、扉１０の上端に設けられた合成樹脂製の周端内カバー１７とシール材２９とが当接し、アルミニウム製の周端外カバー１５とアルミニウム製の内枠部材２１ｂとは接触しない。すなわち、周端外カバー１５と内枠部材２１ｂとは、周端内カバー１７とシール材２９とにより断熱されている。
【００３１】
左右の縦枠２３の戸当部材２６には、内枠部材２３ｂを覆う部位の室外側の端部に枠体２の内周側に突出させて、また、枠体２の内周側に突出して閉じた扉１０の室内側面と対向する部位に室外側に突出させて、各々シール材３０が設けられている。このため、扉１０を閉じた際には、扉１０の左右の端に設けられた合成樹脂製の周端内カバー１７と２つのシール材３０とが当接し、アルミニウム製の周端外カバー１５とアルミニウム製の内枠部材２３ｂとは接触しない。すなわち、周端外カバー１５と内枠部材２３ｂとは、周端内カバー１７とシール材３０とにより断熱されている。また、左右の縦枠２３の戸当部材２５に設けられた２つのシール材３０は、互いに間隔を隔てて配置されているので、扉１０を閉じた際には、扉１０と縦枠２３との間には、２つのシール材３０、周端内カバー１７および戸当部材２５とにより囲まれた空間Ｓが形成される。この空間Ｓにより、更に断熱性が向上する。
【００３２】
このような扉１０および建具１によれば、芯材１２の外周に芯材１２の外周面１２ａを覆う金属製の補強材１４が設けられているので、扉１０の全周を囲むような枠材等を備えていなくとも、扉１０として例えば戸先側に必要なラッチ機構１０ａや施錠機構１０ｂ、吊元側に必要なヒンジ（不図示）等を補強材１４に設けることが可能である。また、芯材１２の室内側に見込み方向に並べて真空断熱材１３が設けられているので、より高い断熱性を備えることが可能である。
【００３３】
このとき、真空断熱材１３は、芯材１２と対面するように設けられており、補強材１４の室内側の対向壁部１４ａは周端本体部１６ａの内周側の縁より内周側に突出しないように形成されているので、真空断熱材１３の包装材は損傷され難い。このため、断熱性の高い真空断熱材１３を芯材１２の室内側に容易に備えることが可能な扉１０を提供することが可能である。更に、鉄製の補強材１４の室内側には合成樹脂製の基材周端材１６が設けられているので、補強材１４による室内側への熱伝導を抑制することが可能である。このため、より高い断熱性を有する扉１０および建具１を提供することが可能である。
【００３４】
また、基材周端材１６が、補強材１４の連結部１４ｂを外周側にて覆う連結部カバー部１６ｂおよび連結部カバー部１６ｂの室外側の端から室外側に延出された外延出部１６ｃにより補強材１４と係合するので、基材周端材１６を補強材１４の室内側に、より確実に配置することが可能である。
また、芯材１２は、例えば発泡ウレタンなどの断熱材なので、より高い断熱性を備えた扉１０および建具１を提供することが可能である。
【００３５】
また、扉１０が枠体２にて形成された開口２ａを閉塞した状態では、合成樹脂製の戸当部材２５に互いに間隔を隔てて設けられた２つのシール材３０が、扉１０が有する合成樹脂製の基材周端材１６に当接される。このため、枠体２側の戸当部材２５と扉１０側の基材周端材１６との間が、間隔を隔てた２つのシール材３０で繋がる。すなわち、枠体２と扉１０との間に、戸当部材２５と基材周端材１６と２つのシール材３０とにより合成樹脂により囲まれた空間Ｓが形成される。このため、より断熱性能の高い建具１を提供することが可能である。
【００３６】
上記実施形態においては、扉として玄関扉を例に挙げて説明したが、これに限らず、居室などの室内外を仕切る扉であっても構わない。
また、上記実施形態においては、芯材を発泡ウレタンと注入して形成する例について説明したが、これに限らず、例えばパネル状のペーパーハニカム製の芯材や、グラスウールなどの断熱材であっても構わない。
【００３７】
上記実施形態においては、周端部材を、合成樹脂製の基材周端材１６と、周端外カバー１５とともに扉１０の外周面を形成する合成樹脂製の周端内カバー１７との２つの部材で構成する例について説明したが、真空断熱材１３の外周側に補強材１４と見込み方向に並べて配置される合成樹脂製の単一の部材であっても構わない。
【００３８】
上記実施形態においては、上枠２１と左右の縦枠２３がいずれも、アルミニウム製の押し出し成形部材でなる外枠部材２１ａ、２３ａと内枠部材２１ｂ、２３ｂとが、合成樹脂を介して連結されている例について説明したが、上枠２１と左右の縦枠２３は、室内側と室外側とで分かれていない、一体のアルミニウム製の押し出し成形部材やその他の金属製であってもであっても構わない。
【００３９】
なお、上記実施形態は、本発明の理解を容易にするためのものであり、本発明を限定して解釈するためのものではない。本発明は、その趣旨を逸脱することなく、変更、改良され得ると共に、本発明にはその等価物が含まれることはいうまでもない。
【符号の説明】
【００４０】
１  建具、２  枠体、２ａ  開口、１０  扉、１２  芯材、１２ａ  外周面、
１３  真空断熱材、１４  補強材、１６  基材周端材、１６ａ  周端本体部、
１６ｂ  連結部カバー部、１６ｃ  外延出部、１７  周端内カバー、２１ｂ  内枠部材、
２３  縦枠、２３ｂ  内枠部材、２５  戸当部材、２６  戸当部材、３０  シール材、
【図１】
2016020596.tif 000003
【図２】
2016020596.tif 000004
【図３】
2016020596.tif 000005